(57)【要約】【課題】編集元の画像データは非破壊の状態で、再生する映像の領域や映像の表示方式を指定して、ユーザの嗜好に合わせた画像編集をすることのできる編集装置及び再生装置を提供する。【解決手段】編集装置１の制御部６は、入力部５から入力された、拡大表示する画像の切り取り領域に関する位置やサイズの情報、指定した時刻の情報等を切り取り処理部７及び再生時刻取得部８に出力し、これらからの出力を得て、プレイリスト情報変換部９は、プレイリスト情報を生成する。該プレイリスト情報は、映像データとは別に記憶媒体に記憶される。再生装置２１は、前記プレイリスト情報に従い、映像データを編集し、再生を行なう。【選択図】図１
2009065313.tif 000002
【特許請求の範囲】
【請求項１】
映像データの編集を行なう編集装置であって、
前記映像データのうち、編集を行なう画像データについて指定する入力部と、
前記編集を行なう画像データの領域に関する切り取り領域情報を生成する切り取り領域取得部と、
前記編集を行なう画像データ特定情報を生成する再生時刻取得部と、
前記切り取り領域取得部及び前記再生時刻取得部からのデータの出力を得て、再生管理情報を生成する再生管理情報変換部と、
制御部とを備え、
前記制御部は、前記映像データを修正することなく、前記再生管理情報を生成することにより映像データの編集を行なうことを特徴とする編集装置。
【請求項２】
前記制御部は、前記切り取り領域取得部、前記再生時刻取得部及び前記再生管理情報変換部の制御を行なうことを特徴とする請求項１に記載の編集装置。
【請求項３】
前記切り取り領域情報は、座標又は画像領域のサイズの情報であることを特徴とする請求項１又は請求項２に記載の編集装置。
【請求項４】
前記座標又は画像領域のサイズの情報に識別情報が付され、前記切り取り領域情報は、該識別情報であることを特徴とする請求項３に記載の編集装置。
【請求項５】
前記再生時刻取得部は、編集の指定が行なわれた時刻と、映像データとから、画像データ特定情報を生成することを特徴とする請求項１から請求項４までのいずれか１つに記載の編集装置。
【請求項６】
前記映像データと前記再生管理情報は、別個に記憶されることを特徴とする請求項１から請求項５までのいずれか１つに記載の編集装置。
【請求項７】
前記入力部により、前記編集を行なう画像データの指定が複数回入力された場合、画像データ切り替え情報として、前記再生管理情報変換部は、前記再生管理情報に切り替え時刻の設定を行なうことを特徴とする請求項１から請求項６までのいずれか１つに記載の編集装置。
【請求項８】
特殊効果についての特殊効果情報を生成する特殊効果取得部を備え、
前記入力部から特殊効果の指定が行なわれた場合、前記制御部からの制御により、前記特殊効果取得部は、前記特殊効果情報を前記再生管理情報変換部に出力し、該再生管理情報変換部は、前記再生管理情報に特殊効果情報を設定することを特徴とする請求項１から請求項７までのいずれか１つに記載の編集装置。
【請求項９】
前記再生管理情報及び映像データ、並びに／又は前記識別情報は、着脱可能な記憶媒体に記録されることを特徴とする請求項４から請求項８までのいずれか１つに記載の編集装置。
【請求項１０】
映像データの再生を行なう再生装置であって、
再生管理情報に基づき、再生する前記映像データの編集の制御を行なう制御部と、
前記制御部からの画像データの領域指定の制御情報により、該領域指定外の前記画像データの廃棄を行なう切り取り処理部と、
前記制御部からの画像データの解像度についての制御情報と、前記切り取り処理部から出力する画像データとにより、該画像データを前記解像度まで拡大するスケーラとを備え、
前記制御部は、前記映像データと、前記再生管理情報とから編集映像を再生することを特徴とする再生装置。
【請求項１１】
座標又は画像領域のサイズの情報と対応する識別情報を記憶する記憶部を備え、
前記再生管理情報の前記画像データの領域指定の情報は識別情報であり、前記制御部は、前記記憶部を参照して、前記画像データの領域を特定する座標又は画像領域のサイズの情報を取得することを特徴とする請求項１０に記載の再生装置。
【請求項１２】
前記再生管理情報に切り替え時刻に関する情報の設定がなされている場合、前記制御部は、該切り替え時刻で、前記画像データの編集の切り替えを行なうよう制御することを特徴とする請求項１０又は請求項１１に記載の再生装置。
【請求項１３】
前記画像データの画素値の変換を行なう画素変換部を備え、前記再生管理情報に特殊効果を行なう情報の設定がなされている場合、前記制御部は、前記切り取り処理部、前記スケーラ又は前記画素変換部を制御して、特殊効果の再生を行なうことを特徴とする請求項１０から請求項１２までのいずれか１つに記載の再生装置。
【発明の詳細な説明】
【技術分野】
【０００１】
本発明は、画像の編集及び再生の技術に関する。
【背景技術】
【０００２】
従来から、ＤＶＤ（Ｄｉｇｉｔａｌ  Ｖｅｒｓａｔｉｌｅ  Ｄｉｓｃ）やＢＤ（Ｂｌｕ−ｒａｙ  Ｄｉｓｃ）などのディスク媒体に記憶された映像データ自体には手を加えることなく、非破壊で編集する手段として、プレイリスト編集が行なわれている。
【０００３】
プレイリストとは、連続再生を行なうための単位のことであり、プレイリスト情報（再生管理情報）は、再生する映像(ファイル)、映像の再生時間、及び再生順序を示した情報で、このプレイリスト情報に従って映像を再生することができる。
【０００４】
例えば、光ディスクやハードディスクに画像を記録する際に、記録画像のプレイリスト情報（ライブラリ情報）を作成してハードディスクに格納し、画像を識別管理する技術が開示されている(例えば、特許文献１参照）。
【０００５】
また、従来のプレイリスト情報から画像の再生を行なう再生装置も、画像の再生箇所や再生時刻を制御して出力すればよく、画像を切り取ったり、画像を変換するものではなかった。
【０００６】
図３０は、従来の再生装置４１のブロック図の一例である。
入力部２２に入力された信号は、フォーマット化され、保存部２３に一時的に保存される。保存部２３のデータは、分離部２４に出力され、音声データと画像データに分離され、音声データは、オーディオデコーダ２５に、画像データは、ビデオデコーダ２６に出力される。
【０００７】
この後、オーディオデコーダ２５の音声データは、スピーカ等の出力部に出力される。一方、制御部４２は、保存部２３からプレイリスト情報を読み出し、プレイリスト保存部４３に一時的に保存する。制御部４２は、該プレイリスト情報に基づき、ビデオデコーダ２６に対し、画像データの再生箇所や再生時刻について制御して編集させ、ビデオデコーダ２６は、編集した画像データをイメージバッファ２９に出力する。この後、編集された画像データは、クロック等でオーディオデコーダ２５の音声データと同期させて出力部に出力され、再生が行なわれる。
【特許文献１】特開２００２−１５０７５４号公報
【発明の開示】
【発明が解決しようとする課題】
【０００８】
しかしながら、特許文献１のようなプレイリスト情報を用いた編集では、繋げて再生する各映像の時間的な位置、順序を記録して編集することはできたが、各映像の一部の領域を指定したり、該指定領域における表示の大きさや表示方式を指定して編集することは、できなかった。
【０００９】
そのため、例えば、ユーザが特に見たいと思われる映像領域を拡大して表示したりすることができず、また、ユーザにとって必要のない部分が映像内にあっても、ユーザは排除することができず、従来のプレイリスト編集技術では、ユーザの嗜好に合わせた映像編集を行なうには限界があった。
【００１０】
本発明は、上記問題点を解決するためになされたものであり、その目的は、編集元の画像データは非破壊の状態で、再生する映像の領域や映像の表示方式を指定して、ユーザの嗜好に合わせた画像編集をすることのできる編集装置及び再生装置を提供することである。
【課題を解決するための手段】
【００１１】
斯かる実情に鑑み、第１の発明による編集装置は、映像データの編集を行なう編集装置であって、前記映像データのうち、編集を行なう画像データについて指定する入力部と、前記編集を行なう画像データの領域に関する切り取り領域情報を生成する切り取り領域取得部と、前記編集を行なう画像データ特定情報を生成する再生時刻取得部と、前記切り取り領域取得部及び前記再生時刻取得部からのデータの出力を得て、再生管理情報を生成する再生管理情報変換部と、制御部とを備え、前記制御部は、前記映像データを修正することなく、前記再生管理情報を生成することにより映像データの編集を行なうことを特徴とする。
【００１２】
また、第２の発明による編集装置は、前記制御部が、前記切り取り領域取得部、前記再生時刻取得部及び前記再生管理情報変換部の制御を行なうことを特徴とする。
【００１３】
また、第３の発明による編集装置は、前記切り取り領域情報が、座標又は画像領域のサイズの情報であることを特徴とする。
【００１４】
また、第４の発明による編集装置は、前記座標又は画像領域のサイズの情報に識別情報が付され、前記切り取り領域情報は、該識別情報であることを特徴とする。
【００１５】
また、第５の発明による編集装置は、前記再生時刻取得部が、編集の指定が行なわれた時刻と、映像データとから、画像データ特定情報を生成することを特徴とする。
【００１６】
また、第６の発明による編集装置は、前記映像データと前記再生管理情報が、別個に記憶されることを特徴とする。
【００１７】
また、第７の発明による編集装置は、前記入力部により、前記編集を行なう画像データの指定が複数回入力された場合、画像データ切り替え情報として、前記再生管理情報変換部は、前記再生管理情報に切り替え時刻の設定を行なうことを特徴とする。
【００１８】
また、第８の発明による編集装置は、特殊効果についての特殊効果情報を生成する特殊効果取得部を備え、前記入力部から特殊効果の指定が行なわれた場合、前記制御部からの制御により、前記特殊効果取得部は、前記特殊効果情報を前記再生管理情報変換部に出力し、該再生管理情報変換部は、前記再生管理情報に特殊効果情報を設定することを特徴とする。
【００１９】
また、第９の発明による編集装置は、前記再生管理情報及び映像データ、並びに／又は前記識別情報は、着脱可能な記憶媒体に記録されることを特徴とする。
【００２０】
また、第１０の発明による再生装置は、映像データの再生を行なう再生装置であって、再生管理情報に基づき、再生する前記映像データの編集の制御を行なう制御部と、前記制御部からの画像データの領域指定の制御情報により、該領域指定外の前記画像データの廃棄を行なう切り取り処理部と、前記制御部からの画像データの解像度についての制御情報と、前記切り取り処理部から出力する画像データとにより、該画像データを前記解像度まで拡大するスケーラとを備え、前記制御部は、前記映像データと、前記再生管理情報とから編集映像を再生することを特徴とする。
【００２１】
また、第１１の発明による再生装置は、座標又は画像領域のサイズの情報と対応する識別情報を記憶する記憶部を備え、前記再生管理情報の前記画像データの領域指定の情報は識別情報であり、前記制御部は、前記記憶部を参照して、前記画像データの領域を特定する座標又は画像領域のサイズの情報を取得することを特徴とする。
【００２２】
また、第１２の発明による再生装置は、前記再生管理情報に切り替え時刻に関する情報の設定がなされている場合、前記制御部は、該切り替え時刻で、前記画像データの編集の切り替えを行なうよう制御することを特徴とする。
【００２３】
また、第１３の発明による再生装置は、前記画像データの画素値の変換を行なう画素変換部を備え、前記再生管理情報に特殊効果を行なう情報の設定がなされている場合、前記制御部は、前記切り取り処理部、前記スケーラ又は前記画素変換部を制御して、特殊効果の再生を行なうことを特徴とする。
【発明の効果】
【００２４】
本発明によれば、編集装置は、記憶媒体に記録される再生管理情報（プレイリスト情報）の一部として、拡大表示する映像領域を示す情報(座標、画像領域サイズ)を格納する。この情報は、非破壊編集処理時の指定操作によって作成でき、ユーザにとって必要な指定領域を拡大して表示するよう編集することができる。
【００２５】
また、編集装置は、再生管理情報のみの更新により、拡大領域の指定を含む映像データの編集を非破壊で何度でも実施することができる。
【００２６】
また、編集装置は、実際の座標や画像領域サイズに関する情報に識別情報（インデックス）を付与し、編集した映像の再生時には、この識別情報を参照することにより、表示を行なうことができる。
【００２７】
また、編集装置が識別情報を利用することで、ユーザは、リモコン等による簡易な入力のみで、映像の編集を行なうことができる。
【００２８】
また、編集装置は、再生管理情報に切り替え時刻の設定を行なうことで、映像を拡大表示して再生する際に、指定時刻で切替えて表示することもできる。
【００２９】
また、編集装置は、特殊効果を利用した再生を行なうために、再生管理情報に特殊効果の情報の設定を行なうことができる。
【００３０】
また、編集装置は、再生管理情報、識別情報を着脱可能な記憶媒体に映像データとともに記録することができる。このことにより、ユーザは、非破壊のまま編集された映像データを、任意のプレイヤーで再生することができる。
【００３１】
また、再生装置は、映像データとは別個に記憶された再生管理情報を参照することにより、元の映像データは非破壊の状態で、映像データを編集して再生することができる。
【００３２】
また、再生装置は、記憶部に記憶した識別情報を参照することにより、識別情報を利用した再生管理情報から、画像の編集を行い、再生することができる。
【００３３】
また、再生装置は、再生管理情報に設定された切り替え時刻を参照することにより、該時刻により画像の編集の切り替えを行なって、再生することができる。
【００３４】
また、再生装置は、再生管理情報に特殊効果の設定がある場合も、再生管理情報に従い、再生することができる。
【発明を実施するための最良の形態】
【００３５】
以下、本発明の実施の形態を図示例と共に説明する。
【００３６】
［編集装置］
まず、編集装置について説明する。
【００３７】
（第１の実施形態）
図１は、本実施形態に係る編集装置１の構成例を示すブロック図である。
編集装置１は、映像データ等の編集の元になるデータを保存する保存部２と、画像を編集するために再生を行なう再生部３と、再生部３からの出力で画像の表示を行なう出力部４と、出力部４の画像を見て編集のための入力を行なう入力部５と、編集のための制御を行なう制御部６と、制御部６の制御と再生部３から入力される映像データから画像の切り取りを行なう領域に関する情報を生成する切り取り領域取得部７と、制御部６の制御と再生部３から入力される映像データから画像の再生時刻に関する情報を生成する再生時刻取得部８と、切り取り領域取得部７及び再生時刻取得部８からの出力を得てプレイリスト情報を生成するプレイリスト情報変換部９と、プレイリスト情報変換部９にて生成したプレイリスト情報を保存するプレイリスト保存部１０とを含んで構成される。
【００３８】
保存部２は、映像データ及びプレイリスト情報を保存し、編集や再生に必要な時、プレイリスト情報をプレイリスト保存部１０に出力する。映像データは、制御部６から再生指示があった場合に、保存部２から再生部３に出力される。
【００３９】
再生部３は、再生しながら編集する場合に、保存部２から映像データを読み出して、再生を行ない、再生後は、該映像データを切り取り領域取得部７及び再生時刻取得部８に出力する。
【００４０】
切り取り領域取得部７は、ユーザが入力部５から指定した情報と映像データから、画像データにおいて切り取りを行なう領域の切り取り位置、切り取りサイズについての情報を生成する。
【００４１】
再生時刻取得部８は、ユーザが入力部５から指定した情報と映像データから、編集を行なう時点を特定するための情報を生成する。
【００４２】
プレイリスト情報変換部９は、切り取り領域取得部７及び再生時刻取得部８から得られた入力情報からプレイリスト情報として保存できる形式に変換を行なう。
【００４３】
プレイリスト保存部１０は、編集や再生に必要なプレイリスト情報を一時的に格納する。ユーザが、入力部５よりプレイリスト情報の保存を許可する入力をした場合に、制御部６の制御によりプレイリスト保存部１０は、保存部２に保存した該当する映像データに、プレイリスト情報を付加する。また、既に、映像データにプレイリスト情報が付加されている場合には、該プレイリスト情報の更新を行なう。
【００４４】
以上のように構成されている編集装置１の動作について、説明する。
図２は、本実施形態における編集の様子について示した図である。
図３は、本実施形態における編集の処理の手順について示したフローチャート図である。
【００４５】
まず、制御部６からの制御信号により、保存部２が再生部３に映像データを出力し、再生部３は出力部４に映像データの出力を行なうことにより、映像の再生が行なわれる（Ｓ１０１）。
次に、ユーザのリモコン等の操作により、画像の編集を開始する入力が入力部５になされたか否かの判定を行なう（Ｓ１０２）。入力がない場合（Ｓ１０２で「ＮＯ」）、本判定を繰り返す。
【００４６】
上記の状態において、図２（ａ）及び図２（ｂ）に示すように、ユーザは、ディスプレイを見ながら、リモコン等を編集装置に向けて操作することにより、拡大表示するための画像の切り取り領域を指定して、画像の編集を行なうことができる。
【００４７】
または、編集装置１とマウス等の入力装置とが接続され、画像領域の指定は、ドラッグ等によっても可能である。
【００４８】
編集を開始する入力があると判定した場合（Ｓ１０２で「ＹＥＳ」）、制御部６は、入力部５より、切り取り領域の空間位置及び該切り取り領域のサイズ（例えば、頂点座標のセット、頂点座標とサイズ、など）を指定する入力がなされたか否かの判定を行なう（Ｓ１０３）。入力がない場合（Ｓ１０３で「ＮＯ」）、本判定を繰り返す。
【００４９】
切り取り領域の空間位置及び該切り取り領域のサイズの指定は、例えば、ユーザが、リモコンの番号キーを操作することにより、切り取り領域の座標や切り取り領域のサイズを値として入力指定できる。
また、例えば、ユーザが、ポインタやドラッグ操作することにより位置又は領域を選択し、決定ボタン等を押下することにより入力指定できる。
【００５０】
ここでは、例えば、図２（ａ）のように、指定された切り取り領域の頂点座標（開始位置の座標）が、（１０，１０）、切り取り領域のサイズが、「９６０×７２０」であったとする。図２（ａ）では、基準とする頂点座標の位置が左上となっているが、頂点座標は、中央の座標又は右下の座標等とすることもできる。
【００５１】
制御部６は、切り取り領域の座標及び該切り取り領域のサイズを指定する入力があったと判定した場合（Ｓ１０３で「ＹＥＳ」）、入力部５から入力された値を切り取り領域取得部７へ、そのまま出力する。切り取り領域取得部７は、制御部６から切り取り領域に関する値を受け取ると、これらの値が映像データの域外を指定していないか、再生部３から映像データの解像度情報を取得して確認を行なう（Ｓ１０４）。
域外を指定していれば（Ｓ１０４で「ＹＥＳ」）、切り取り領域取得部７は、制御部６を通じて、再生部３を制御し、出力部４にエラー表示等を行ない、Ｓ１０３の処理に戻る。
【００５２】
域外を指定していなければ（Ｓ１０４で「ＮＯ」）、切り取り領域取得部７は、その旨の信号を制御部６に出力し、制御部６は、再生時刻取得部８に、編集の指定のあった時刻の情報を出力する（Ｓ１０５）。
指定時刻の指定は、例えば、ユーザが、リモコンの番号キーを操作することにより、指定時刻を値として入力指定できる。
また、例えば、ユーザが、指定したい映像が画面に表示されているときに、リモコン等の決定ボタン等を押下することにより指定時刻を入力指定できる。
【００５３】
次に、切り取り領域取得部７は、値をそのままプレイリスト情報変換部９に出力する。
例えば、ユーザにより、リモコン等の上下左右等のボタンが押下されると、押下されるたびに、切り取り位置や切り取りサイズの値が随時変更され、リモコン等の決定ボタンが更に押下されると、切り取り領域取得部７は、座標やサイズの情報を算出して、プレイリスト情報変換部９に切り取り領域に関する値を出力する。
【００５４】
一方、再生時刻取得部８は、番号キー等により指定時刻の値が入力された場合、指定時刻に対応したタイムスタンプを再生部３より取得し、プレイリスト情報変換部９に出力する。
【００５５】
また、再生時刻取得部８は、指定したい映像が画面に表示されているときに、リモコン等の決定ボタン等を押下することにより指定時刻が入力された場合、押下された時点に再生されている映像のタイムスタンプを再生部３より取得し、プレイリスト情報変換部９に出力する。
【００５６】
切り取り領域取得部７及び再生時刻取得部８の入力を得て、プレイリスト情報変換部９は、切り取り領域の情報と、再生時刻の情報とを合成する（Ｓ１０６）。
【００５７】
図２（ｃ）に示すように、例えば、プレイリスト１（Ｐｌａｙｌｉｓｔ＃１）として、再生時間「指定したフレームから１分間」、座標（ｐｏｓ）「１０，１０」、サイズ（ｓｉｚｅ）「９６０×７２０」が切り取り情報の設定を示すクリップ（ｃｌｉｐ）に入力され、プレイリスト情報が合成されたことを示している。
【００５８】
プレイリスト情報変換部９は、前述のプレイリストの情報を保存可能なバイナリデータに変換して（Ｓ１０７）、プレイリスト保存部１０に出力し、プレイリスト保存部１０は、プレイリスト情報を保存する（Ｓ１０８）。バイナリデータとは、実行可能形式のコンピュータプログラムのことである。
【００５９】
図２（ｂ）に示すように、プレイリスト情報は、例えば、記録媒体に、映像データとは別に保存される。このように、プレイリスト情報による編集を行なうことにより、映像データ自体に対して、編集することを要しない。
すなわち、映像データは、非破壊のまま編集を行なうことができる。
【００６０】
以上のような構成とすることで、プレイリスト情報として、映像データの画像の一部の領域を指定することができ、該指定領域を、例えば拡大して表示するよう編集することが可能となる。
【００６１】
（第２の実施形態）
本実施形態では、インデックス（識別情報）を利用する。
編集装置１は映像に対してあらかじめ複数の切取り領域（座標、サイズ等）を用意し、それらに対して通し番号などのインデックスを割り当てておく。
【００６２】
図４は、本実施形態に係る編集装置１の構成例を示すブロック図である。
図５は、本実施形態における編集の様子について示した図である。
図６は、本実施形態における編集の処理の手順について示したフローチャート図である。
【００６３】
図４で示す編集装置１の構成は、図１と同一符号を付したものは、同様である。異なる点は、インデックスを保存したライブラリ保存部１１を備えることである。
【００６４】
まず、制御部６からの制御信号により、保存部２が再生部３に映像データを出力し、再生部３は出力部４に映像データの出力を行なうことにより、映像の再生が行なわれる（Ｓ２０１）。
次に、ユーザのリモコン等の操作により、画像の編集を開始する入力が入力部５になされたか否かの判定を行なう（Ｓ２０２）。入力がない場合（Ｓ２０２で「ＮＯ」）、本判定を繰り返す。
【００６５】
上記の状態において、図５（ａ）及び図５（ｂ）に示すように、ユーザは、ディスプレイを見ながら、リモコン等を編集装置１に向けて操作することにより、拡大表示するための画像の切り取り領域を指定して、画像の編集を行なうことができる。
【００６６】
本実施形態では、切り取り領域及び切り取りサイズがインデックスに対応して予め定められているので、リモコン操作では、例えば、所定のボタンを押下等するだけで、簡易に切り取りを行なう領域及びサイズの指定をすることができる。
【００６７】
制御部６は、インデックスを使った編集を開始する入力があると判定した場合（Ｓ２０２で「ＹＥＳ」）、切り取り領域取得部７へインデックスを使った編集がある旨の信号を送信する。該信号を受け取った切り取り領域取得部７は、再生部３から映像データの解像度の情報を、ライブラリ保存部１１から制御部６を通じてライブラリ情報を取得し、これらの情報から映像領域の域内において表示できるインデックスを判定し、制御部６を通じて再生部３を制御し、出力部４に図５（ａ）に示すように選択可能なインデックスの表示を行なう。ここで、例えば、映像の解像度が７２０×４８０の場合に、１９２０×１０８０のインデックスは、映像領域の域内で表示できないので、切り取り領域取得部７は、該インデックスを禁止する判定を行なう。
次に、制御部６は、入力部５より、切り取り領域の空間位置及び該切り取り領域のサイズのインデックスを指定する入力がなされたか否かの判定を行なう（Ｓ２０３）。入力がない場合（Ｓ２０３で「ＮＯ」）、本判定を繰り返す。
【００６８】
ここでは、例えば、図５（ａ）のように、インデックスに対応づけられた位置及びサイズが設定されており、切り取り位置をインデックス「１」、切り取りサイズをインデックス「４」と指定したとする。
【００６９】
図７にインデックスの一例を示している。ここでは、例えば、切り取り位置及び切り取りサイズのインデックスが４種類設定されているとする。図７（ａ）が切り取り位置のインデックスのライブラリ、図７（ｂ）が切り取りサイズのインデックスのライブラリの例である。
【００７０】
例えば、図５（ａ）において、映像データの解像度が１９２０×１０８０であるときに拡大後の画面のように表示するには、切り取り位置のインデックスを「Ｎｏ．１」（切り取り開始位置の座標が（０，０））、切り取りサイズのインデックスを「Ｎｏ．４」（切り取りサイズが「７２０×４８０」）として指定する。
【００７１】
制御部６は、切り取り領域の位置及びサイズについてのインデックスの入力があったと判定した場合（Ｓ２０３で「ＹＥＳ」）、入力部５から入力された値を切り取り領域取得部７へ、そのまま出力する。切り取り領域取得部７は、制御部６から切り取り領域に関する値を受け取ると、制御部６を通じてライブラリ保存部１１に設定されているインデックスに関するライブラリを参照して、該インデックスの位置及びサイズにより指定される切り取り領域が、編集する元の映像領域の域外まで指定するものか否かの判定を行なう（Ｓ２０４）。
例えば、映像の解像度が１９２０×１０８０であるときに、切り取り位置をインデックス「４」、切り取りサイズをインデックス「１」と選択した場合は、映像領域は、域外を含むものとなってしまう。
映像領域の域外を含むものである場合は（Ｓ２０４で「ＹＥＳ」）、切り取り領域取得部７は、制御部６を通じて再生部３を制御して、出力部４によりエラー表示等を行ない、Ｓ２０３の処理に戻る。
【００７２】
映像領域の域外を含むものでない場合は（Ｓ２０４で「ＮＯ」）、切り取り領域取得部７は、その旨の信号を制御部６に出力し、制御部６は、再生時刻取得部８に、編集の指定のあった時刻の情報を出力する（Ｓ２０５）。
【００７３】
次に、切り取り領域取得部７は、画像の切り取り領域の位置及びサイズのインデックスの入力を得て、切り取り領域の位置及びサイズのインデックスを、プレイリスト情報変換部９に出力する。
【００７４】
一方、再生時刻取得部８は、番号キー等により指定時刻の値が入力された場合、指定時刻に対応したタイムスタンプを再生部３より取得し、プレイリスト情報変換部９に出力する。
【００７５】
また、再生時刻取得部８は、指定したい映像が画面に表示されているときに、リモコン等の決定ボタン等を押下することにより指定時刻が入力された場合、押下された時点に再生されている映像のタイムスタンプを再生部３より取得し、プレイリスト情報変換部９に出力する。
【００７６】
切り取り領域取得部７及び再生時刻取得部８の入力を得て、プレイリスト情報変換部９は、切り取り領域に関するインデックスと、再生時刻の情報とを合成する（Ｓ２０６）。
【００７７】
図５（ｃ）に示すように、例えば、プレイリスト１（Ｐｌａｙｌｉｓｔ＃１）として、時間「指定したフレームから１分間」、位置（ｐｏｓ）「インデックスＮｏ．１」、サイズ（ｓｉｚｅ）「インデックスＮｏ．４」が切り取り情報の設定を示すクリップ（ｃｌｉｐ）に入力され、プレイリスト情報が合成されたことを示している。
【００７８】
次に、プレイリスト情報変換部９は、前述のプレイリストの情報を保存可能なバイナリデータに変換する（Ｓ２０７）。ここで、インデックス番号は、対応する座標やサイズに変換せず、インデックス番号を表すシンボルとして変換する。例えば、図５（ｃ）の場合で言えば、「ｐｏｓ＃１」を「０ｘ０１」に、「ｓｉｚｅ＃４」を「０ｘ０４」等に変換する。変換後の値は、実際の値と重ならないようにする。
【００７９】
プレイリスト情報変換部９は、変換後のプレイリスト情報をプレイリスト保存部１０に出力し、プレイリスト保存部１０は、プレイリスト情報を保存する（Ｓ２０８）。図５（ｂ）に示すように、プレイリスト情報は、例えば、記録媒体に、映像データとは別に保存される。
【００８０】
インデックスのライブラリには、インデックスに対応する実際の座標やサイズに関する情報が格納されている。本実施形態におけるプレイリスト情報では、インデックスとして保存しているが、編集した映像の再生時には、このライブラリを参照することにより、表示を行なうことができる。
【００８１】
以上のような構成とすることで、ユーザは、リモコン等による簡易な入力のみで、映像の編集を行なうことができる。
【００８２】
（第３の実施形態）
本実施形態では、インデックスを利用する別の実施形態について説明する。
第２の実施形態と異なる点は、切り取り領域の位置とサイズを組にして、１つのインデックスを割り当てる点にある。
【００８３】
図８は、本実施形態における編集の様子について示した図である。
図９は、本実施形態における編集の処理の手順について示したフローチャート図である。
【００８４】
まず、制御部６からの制御信号により、保存部２が再生部３に映像データを出力し、再生部３は出力部４に映像データの出力を行なうことにより、映像の再生が行なわれる（Ｓ３０１）。
次に、ユーザのリモコン等の操作により、画像の編集を開始する入力が入力部５になされたか否かの判定を行なう（Ｓ３０２）。入力がない場合（Ｓ３０２で「ＮＯ」）、本判定を繰り返す。
【００８５】
上記の状態において、図８（ａ）及び図８（ｂ）に示すように、ユーザは、ディスプレイを見ながら、リモコン等を編集装置１に向けて操作することにより、拡大表示するための画像の切り取り領域を指定して、画像の編集を行なうことができる。
【００８６】
本実施形態でも、第２の実施形態と同様、切り取り領域及び切り取りサイズがインデックスに対応して予め定められているので、リモコン操作では、例えば、所定のボタンを押下等するだけで、簡易に切り取りを行なう領域及びサイズの指定をすることができる。
【００８７】
制御部６は、インデックスを使った編集を開始する入力があると判定した場合（Ｓ３０２で「ＹＥＳ」）、切り取り領域取得部７へインデックスを使った編集がある旨の信号を送信する。該信号を受け取った切り取り領域取得部７は、再生部３から映像データの解像度の情報を、制御部６を通じてライブラリ保存部１１からライブラリ情報を取得し、これらの情報から映像領域の域内において表示できるインデックスを判定し、制御部６を通じて再生部３を制御し、出力部４に選択可能なインデックスの表示を行なう。
【００８８】
次に、制御部６は、入力部５より、切り取り領域の空間位置及び該切り取り領域のサイズのインデックスを指定する入力がなされたか否かの判定を行なう（Ｓ３０３）。入力がない場合（Ｓ３０３で「ＮＯ」）、本判定を繰り返す。
【００８９】
図１０にインデックスのライブラリの一例を示している。例えば、図１０（ａ）のように、切り取り位置及び切り取りサイズを組にして、１つずつインデックスが付与され、設定されている。ここでは、例えば、組になっている一方の切り取りサイズに、更にインデックスが付与されており、図１０（ｂ）のようなライブラリを参照することで、実際の値を得ることができる。または、切り取りサイズではなく、切り取り位置にインデックスが設定されていて、切り取り位置のライブラリを参照するとしてもよいし、切り取り位置と切り取りサイズの両方にインデックスが設定されていてもよいし、図１０（ａ）のようなライブラリには、実際の値が設定されているとしてもよい。
【００９０】
例えば、図８（ａ）において、映像データの解像度が１９２０×１０８０であるときに拡大後の画面のように表示するには、切り取り位置を座標（０，０）、切り取りサイズを「７２０×４８０」とすればよい。ここでは、例えば、インデックス「１」を指定したとする。
【００９１】
制御部６は、切り取り領域の位置及びサイズについてのインデックスの入力があったと判定した場合（Ｓ３０３で「ＹＥＳ」）、制御部６は、例えば、切り取り領域取得部７に、「インデックスＮｏ．１」を示す情報を出力する（Ｓ３０４）。または、制御部６は、例えば、ライブラリ保存部１１を参照して、画像の切り取り領域の位置「（０，０）」及びサイズ「インデックスＮｏ．４」を示す情報を切り取り領域取得部７に出力するとしてもよい。
【００９２】
本実施形態では、予め切り取り領域の位置及びサイズについて組にして設定されているので、第２の実施形態のように、編集する元の映像領域の域外まで指定するものか否かの判定を行なう必要がない。
【００９３】
また、制御部６は、再生時刻取得部８に、編集の指定のあった時刻の情報を出力する（Ｓ３０５）。
【００９４】
次に、切り取り領域取得部７は、画像の切り取り領域の位置及びサイズのインデックスの入力を得て、切り取り領域の位置及びサイズのインデックスを、プレイリスト情報変換部９に出力する。
【００９５】
一方、再生時刻取得部８は、番号キー等により指定時刻の値が入力された場合、指定時刻に対応したタイムスタンプを再生部３より取得し、プレイリスト情報変換部９に出力する。
【００９６】
また、再生時刻取得部８は、指定したい映像が画面に表示されているときに、リモコン等の決定ボタン等を押下することにより指定時刻が入力された場合、押下された時点に再生されている映像のタイムスタンプを再生部３より取得し、プレイリスト情報変換部９に出力する。
【００９７】
切り取り領域取得部７及び再生時刻取得部８の入力を得て、プレイリスト情報変換部９は、切り取り領域に関するインデックスと、再生時刻の情報とを合成する（Ｓ３０６）。
【００９８】
本例では、「インデックスＮｏ．１」を指定しているので、図８（ｃ）に示すように、例えば、Ｓ３０４で、制御部６がライブラリ保存部１１を参照して、切り取り領域取得部７に、画像の切り取り領域の位置「（０，０）」及びサイズ「インデックスＮｏ．４」を示す情報を出力していた場合、プレイリスト１（Ｐｌａｙｌｉｓｔ＃１）として、時間「指定したフレームから１分間」、位置（ｐｏｓ）「（０，０）」、サイズ（ｓｉｚｅ）「インデックスＮｏ．４」が切り取り情報の設定を示すクリップ（ｃｌｉｐ）に入力され、プレイリスト情報が合成される。
または、Ｓ３０４で制御部６が、切り取り領域取得部７に、ユーザが選択したまま「インデックスＮｏ．１」を示す情報を出力していた場合、クリップに、インデックス（ｉｎｄｅｘ）「１」として入力され、プレイリスト情報が合成される。
【００９９】
次に、プレイリスト情報変換部９は、前述のプレイリストの情報を保存可能なバイナリデータに変換する（Ｓ３０７）。ここで、インデックス番号は、対応する座標やサイズに変換せず、インデックス番号を表すシンボルとして変換する。
【０１００】
プレイリスト情報変換部９は、変換後のプレイリスト情報をプレイリスト保存部１０に出力し、プレイリスト保存部１０は、プレイリスト情報を保存する（Ｓ３０８）。図８（ｂ）に示すように、プレイリスト情報は、例えば、記録媒体に、映像データとは別に保存される。
【０１０１】
インデックスのライブラリには、インデックスに対応する実際の座標やサイズに関する情報が格納されている。本実施形態におけるプレイリスト情報では、インデックスとして保存しているが、編集した映像の再生時には、このライブラリを参照することにより、表示を行なうことができる。
【０１０２】
以上のような構成とすることで、ユーザは、リモコン等による簡易な入力のみで、映像の編集を行なうことができる。
【０１０３】
（第４の実施形態）
本実施形態では、指定時刻の前後で画像の切り取り領域を切り替える編集を行なう場合について、説明する。
図１１は、本実施形態における編集の様子について示した図である。
図１２は、本実施形態における編集の処理の手順について示したフローチャート図である。
【０１０４】
まず、制御部６からの制御信号により、保存部２が再生部３に映像データを出力し、再生部３は出力部４に映像データの出力を行なうことにより、映像の再生が行なわれる（Ｓ４０１）。
次に、ユーザのリモコン等の操作により、画像の編集を開始する入力が入力部５になされたか否かの判定を行なう（Ｓ４０２）。入力がない場合（Ｓ４０２で「ＮＯ」）、本判定を繰り返す。
【０１０５】
上記の状態において、図１１（ａ）及び図１１（ｂ）に示すように、ユーザは、ディスプレイを見ながら、リモコン等を編集装置１に向けて操作することにより、拡大表示するための画像の切り取り領域を指定して、画像の編集を行なうことができる。
【０１０６】
本実施形態では、第２の実施形態のように、切り取り領域及び切り取りサイズがインデックスに対応して予め定められているものとして説明する。
【０１０７】
また、インデックスによらず、切り取り領域の座標やサイズの数値を直接入力、又は入力装置によるドラッグ等により指定することもできる。
【０１０８】
なお、第１の実施形態のように、数値入力のみでも、第２又は第３の実施形態のように、インデックスの入力のみでも、又は入力装置によるドラッグ等の入力でも、本実施形態を実施することができ、作用・効果は同様である。
【０１０９】
次に、制御部６は、入力部５より、切り取り領域の空間位置及び該切り取り領域のサイズを指定する入力がなされたか否かの判定を行なう（Ｓ４０３）。入力がない場合（Ｓ４０３で「ＮＯ」）、本判定を繰り返す。
【０１１０】
ここでは、例えば、図１１（ａ）のように、まず、「オブジェクト１」を指定したとする。
【０１１１】
例えば、ここでは、切り取り領域について、切り取り位置のインデックスを「Ｎｏ．１」（切り取り開始位置の座標が（０，０））、切り取りサイズのインデックスを「Ｎｏ．４」（切り取りサイズが「７２０×４８０」）として指定する入力がなされたとする。
【０１１２】
制御部６は、切り取り領域の位置及びサイズについての入力があったと判定した場合（Ｓ４０３で「ＹＥＳ」）、入力部５から入力された値を切り取り領域取得部７へ、そのまま出力する。切り取り領域取得部７は、制御部６から切り取り領域に関する値を受け取ると、インデックス入力であればライブラリ保存部１１に設定されているインデックスのライブラリを制御部６を通じて参照して、指定された切り取り領域が、編集する元の映像領域の域外まで指定するものか否かの判定を行なう（Ｓ４０４）。映像領域の域外を含むものである場合は（Ｓ４０４で「ＹＥＳ」）、切り取り領域取得部７は、制御部６を通じて再生部３を制御して、出力部４によりエラー表示等を行ない、Ｓ４０３の処理に戻る。
【０１１３】
Ｓ４０４で「ＮＯ」であった場合、切り取り領域取得部７は、その旨の信号を制御部６に出力し、制御部６は、再生時刻取得部８に、編集の指定のあった時刻の情報を出力する（Ｓ４０５）。
【０１１４】
また、制御部６は、入力部５に、連続して再度、切り取り領域及びサイズに関する入力があるか否かの判定を行なう（Ｓ４０６）。
【０１１５】
連続しての入力とは、例えば、入力部５より編集指定開始の入力があり、指定終了の入力がある前に、再度、指定開始の入力がある等により判定を行なうことができる。
【０１１６】
入力部５から、再度、切り取り領域の指定の入力があった場合には、Ｓ４０４に戻り、処理を繰り返す。
【０１１７】
入力部５から切り取り領域を指定する入力がなされない場合、例えば、これは、編集終了の入力がなされた等で判定を行なうことができるが、切り取り領域を指定する入力が複数回なされたか否かの判定を行なう（Ｓ４０７）。
【０１１８】
１回のみの入力であった場合（Ｓ４０７で「ＮＯ」）、Ｓ４０９に進む。
【０１１９】
複数回の入力があった場合（Ｓ４０７で「ＹＥＳ」）、図１１（ｃ）に示すように、制御部６は、プレイリスト情報変換部９を制御し、入力の回数及び指定の時刻に合わせて、プレイリスト情報の設定、クリップ（ｃｌｉｐ）の分割を行なう（Ｓ４０８）。
【０１２０】
切り取り領域取得部７は、画像の切り取り領域の位置及びサイズのインデックス又は数値並びに映像データの入力を得て、映像データと、切り取り領域の位置及びサイズのインデックス又は数値とを関連付けて、プレイリスト情報変換部９に出力する。
【０１２１】
一方、再生時刻取得部８は、編集の指定のあった時刻の情報及び映像データの入力を得て、映像データの指定時刻に対応したタイムスタンプを再生部３より取得し、プレイリスト情報変換部９に出力する。
【０１２２】
切り取り領域取得部７及び再生時刻取得部８の入力を得て、プレイリスト情報変換部９は、切り取り領域に関する情報と、再生時刻の情報とを、対応するクリップに合成する（Ｓ４０９）。
【０１２３】
図１１（ｄ）に示すように、例えば、プレイリスト１（Ｐｌａｙｌｉｓｔ＃１）として、クリップ１ａ（Ｃｌｉｐ＃１ａ）には、時間「指定フレームから３０秒間」、位置（ｐｏｓ）「インデックスＮｏ．１」、サイズ（ｓｉｚｅ）「インデックスＮｏ．４」が、クリップ１ｂ（Ｃｌｉｐ＃１ｂ）には、時間「指定フレーム再生開始３０秒後から３０秒間」、位置（ｐｏｓ）「インデックスＮｏ．２」、サイズ（ｓｉｚｅ）「インデックスＮｏ．４」が入力され、プレイリスト情報が合成されたことを示している。
【０１２４】
次に、プレイリスト情報変換部９は、前述のプレイリストの情報を保存可能なバイナリデータに変換し（Ｓ４１０）、変換後のプレイリスト情報をプレイリスト保存部１０に出力し、プレイリスト保存部１０は、プレイリスト情報を保存する（Ｓ４１１）。図１１（ｂ）に示すように、プレイリスト情報は、例えば、記録媒体に、映像データとは別に保存される。
【０１２５】
以上のような構成とすることで、プレイリスト情報を利用し、映像を、例えば拡大表示して再生する際に、指定時刻で切替えて表示することも可能となる。
【０１２６】
（第５の実施形態）
本実施形態では、特殊効果の設定を行なうことができる編集機能について、説明する。
図１３は、本実施形態に係る編集装置１の構成例を示すブロック図である。
図１４は、本実施形態における編集の様子について示した図である。
図１５は、本実施形態における編集の処理の手順について示したフローチャート図である。
【０１２７】
図１３で示す編集装置１の構成は、図１と同一符号を付したものは、同様である。異なる点は、特殊効果についてのデータを生成する特殊効果取得部１２を備えることである。
【０１２８】
まず、制御部６からの制御信号により、保存部２が再生部３に映像データを出力し、再生部３は出力部４に映像データの出力を行なうことにより、映像の再生が行なわれる（Ｓ５０１）。
次に、ユーザのリモコン等の操作により、画像の編集を開始する入力が入力部５になされたか否かの判定を行なう（Ｓ５０２）。入力がない場合（Ｓ５０２で「ＮＯ」）、本判定を繰り返す。
【０１２９】
上記の状態において、図１４（ａ）及び図１４（ｂ）に示すように、ユーザは、ディスプレイを見ながら、リモコン等を編集装置１に向けて操作することにより、拡大表示するための画像の切り取り領域を指定して、画像の編集を行なうことができる。
【０１３０】
または、編集装置１とマウス等の入力装置とが接続され、画像領域の指定は、ドラッグ等によっても可能である。
【０１３１】
編集を開始する入力があると判定した場合（Ｓ５０２で「ＹＥＳ」）、制御部６は、入力部５より、切り取り領域の空間位置及び該切り取り領域のサイズを指定する入力がなされたか否かの判定を行なう（Ｓ５０３）。入力がない場合（Ｓ５０３で「ＮＯ」）、本判定を繰り返す。
【０１３２】
ここでは、図１４（ａ）に示すように、例えば、指定された切り取り領域の頂点座標（開始位置の座標）が、（１０，１０）、切り取り領域のサイズが、「９６０×７２０」であったとする。なお、ここでの指定は、第２又は第３の実施形態のようにインデックスによる入力でもよい。
【０１３３】
制御部６は、切り取り領域の座標及び該切り取り領域のサイズを指定する入力があったと判定した場合（Ｓ５０３で「ＹＥＳ」）、入力部５から入力された値を切り取り領域取得部７へ、そのまま出力する。切り取り領域取得部７は、制御部６から切り取り領域に関する値を受け取ると、これらの値が映像データの域外を指定していないかの確認を行なう（Ｓ５０４）。
域外を指定していれば（Ｓ５０４で「ＹＥＳ」）、切り取り領域取得部７は、制御部６を通じて再生部３を制御し、出力部４にエラー表示等を行ない、Ｓ５０３の処理に戻る。
【０１３４】
域外を指定していなければ（Ｓ５０４で「ＮＯ」）、切り取り領域取得部７は、その旨の信号を制御部６に出力し、制御部６は、再生時刻取得部８に、編集の指定のあった時刻の情報を出力する（Ｓ５０５）。
【０１３５】
次に、切り取り領域取得部７は、値やインデックスをそのままプレイリスト情報変換部９に出力する。
また、切り取り領域取得部７は、ポインタやドラッグ操作により切り取り領域の座標やサイズが入力された場合、映像データの解像度情報を再生部３より取得し、該解像度を基準とした座標を決定することができる。
【０１３６】
一方、再生時刻取得部８は、番号キー等により指定時刻の値が入力された場合、指定時刻に対応したタイムスタンプを再生部３より取得し、プレイリスト情報変換部９に出力する。
【０１３７】
また、再生時刻取得部８は、指定したい映像が画面に表示されているときに、リモコン等の決定ボタン等を押下することにより指定時刻が入力された場合、押下された時点に再生されている映像のタイムスタンプを再生部３より取得し、プレイリスト情報変換部９に出力する。
【０１３８】
また、制御部６は、入力部５より、特殊効果の設定について入力がなされたか否かの判定を行なう（Ｓ５０６）。入力がなされなかったと判定した場合は（Ｓ５０６で「ＮＯ」）、Ｓ５０８の処理に進む。
【０１３９】
入力部５より特殊効果に関する入力があったと判定した場合（Ｓ５０６で「ＹＥＳ」）、制御部６は、入力部５より入力された特殊効果に関する情報を特殊効果取得部１２に、そのまま出力する。そして、特殊効果取得部１２は、制御部６を通じて特殊効果に関するライブラリを参照して特殊効果データを生成し、プレイリスト情報変換部９に出力する（Ｓ５０７）。
【０１４０】
図１６は、特殊効果に関するインデックスのライブラリの一例である。
ここでは、再生開始時は、「Ｎｏ．１」のスライド効果、再生終了時は、「Ｎｏ．２」のフェード効果が指定されたとする。
【０１４１】
切り取り領域取得部７、再生時刻取得部８、特殊効果取得部１２の入力を得て、プレイリスト情報変換部９は、切り取り領域の情報と、再生時刻と、特殊効果の情報とを合成する（Ｓ５０８）。
【０１４２】
図１４（ｃ）に示すように、例えば、プレイリスト１（Ｐｌａｙｌｉｓｔ＃１）として、時間「指定したフレームから１分間」、座標（ｐｏｓ）「１０，１０」、サイズ（ｓｉｚｅ）「９６０×７２０」、再生開始時の特殊効果（ｐｒｅ−ｆｎ）「インデックスＮｏ．１」、再生終了時の特殊効果（ｐｏｓｔ−ｆｎ）「インデックスＮｏ．２」が切り取り情報の設定を示すクリップ（ｃｌｉｐ）に入力され、プレイリスト情報が合成されたことを示している。
【０１４３】
プレイリスト情報変換部９は、前述のプレイリストの情報を保存可能なバイナリデータに変換して（Ｓ５０９）、プレイリスト保存部１０に出力し、プレイリスト保存部１０は、プレイリスト情報を保存する（Ｓ５１０）。図１４（ｂ）に示すように、プレイリスト情報は、例えば、記録媒体に、映像データとは別に保存される。
以上のような構成とすることで、プレイリスト情報に特殊効果の設定を行なうことができる。
【０１４４】
また、本実施形態では、編集画像の再生開始時と再生終了時に、特殊効果が設定されたが、第４の実施形態と組み合わせ、画像の切り替え時に特殊効果を設定するとしてもよい。
【０１４５】
［再生装置］
次に、再生装置について説明する。
【０１４６】
（第６の実施形態）
図１７は、本実施形態に係る再生装置２１の構成例を示すブロック図である。
図中、図３０と同一の符号を付した部分は同一物を表わしており、基本的な構成は図３０に示す従来のものと同様である。
再生装置２１は、映像データが入力される入力部２２と、入力部２２でフォーマット化されたデータを保存する保存部２３と、映像データから、画像データと音声データを分離する分離部２４と、分離部２４からの出力を得るオーディオデコーダ２５と、ビデオデコーダ２６と、画像の切り取り処理を行なう切り取り処理部２７と、スケーラ２８と、再生する画像を一時的に格納するイメージバッファ２９と、処理待ちのデータを一時的に格納するバッファ３０と、これら全体を制御する制御部３１と、プレイリスト情報を一時的に保存するプレイリスト保存部３２とを含んで構成される。
【０１４７】
入力部２２は、外部よりデジタル信号又はアナログ信号としてデータを取得する。アナログ信号であった場合には、Ａ／Ｄコンバータ（ＡＤＣ、Ａｎａｌｏｇ  Ｄｉｇｉｔａｌ  Ｃｏｎｖｅｒｔｅｒ）にてデジタル信号に変換される。
【０１４８】
オーディオデコーダ２５は、音声データを出力可能なデジタル信号に変換する。
【０１４９】
ビデオデコーダ２６は、画像データを出力可能なデジタル信号に変換する。
【０１５０】
切り取り処理部２７は、制御部３１が指定する切り取り位置及び切り取りサイズから、不要な画素を破棄する。
【０１５１】
図１８は、切り取り処理部２７での処理の様子を示した図である。
デコードした画像について、制御部３１から得た切り取り位置及び切り取りサイズから、切り取りを行なう領域についてはそのままで、該領域外の画素を破棄して、残った部分について、スケーラ２８に出力を行なう。
【０１５２】
スケーラ２８は、切り取り処理部２７から出力を得た切り取りサイズ分の映像を、出力する解像度まで拡大する。解像度については、制御部３１が演算処理し、スケーラ２８に出力する。
【０１５３】
イメージバッファ２９は、画像データを一時的に保存し、クロックからのタイミングに合わせて出力部（不図示）に送る。
【０１５４】
制御部３１は、映像データとは別に記憶媒体に保存されているプレイリスト情報を読み出し、プレイリスト保存部３２に一時的に保持する。更に、制御部３１は、プレイリスト保存部３２に保持しているプレイリスト情報を元に、切り取り処理部２７やスケーラ２８の制御を行なう。
【０１５５】
以上のように構成されている再生装置２１の動作について、説明する。
本実施形態では、第１の実施形態で生成されたプレイリスト情報に従い、画像データを再生する処理について説明する。
図１９は、本実施形態における再生の様子について示した図である。
図２０は、本実施形態における再生の処理の手順について示したフローチャート図である。
【０１５６】
まず、ユーザのリモコン等の操作により、プレイリスト情報の選択がなされ、映像の再生を開始する入力が入力部２２になされると、制御信号を保存部２３に出力する（Ｓ６０１）。
【０１５７】
なお、保存部２３には、予め、映像データ及びプレイリスト情報が記憶媒体から読み出されて保存されていてもよいし、入力部２２からの映像データ及びプレイリスト情報の入力を、再生開始のトリガとしてもよい。
【０１５８】
再生を開始する入力があった場合、保存部２３は、映像データを分離部２４に、プレイリスト情報をプレイリスト保存部３２に一時的に保存する（Ｓ６０２）。
【０１５９】
制御部３１は、プレイリスト保存部３２からバイナリデータのプレイリスト情報を取得し、制御可能なように画像の切り取り領域の位置及びサイズ、編集を行う画像データのフレーム情報等の必要な情報を解釈する（Ｓ６０３）。
【０１６０】
一方、保存部２３からの映像データの出力を得た分離部２４は、該映像データを画像データと音声データとに分離する（Ｓ６０４）。
【０１６１】
次に、分離部２４は、画像データをビデオデコーダ２６に、音声データをオーディオデコーダ２５に出力する（Ｓ６０５）。
【０１６２】
分離部２４からの画像データの出力を得たビデオデコーダ２６は、画像データを出力可能なデジタル信号に変換して、切り取り処理部２７に出力する（Ｓ６０６）。また、ここで、ビデオデコーダ２６は、画像データの解像度の情報を制御部３１に出力し、制御部３１は、スケーラ２８に受渡しするため、解像度の情報を一時的に保持する。
【０１６３】
ビデオデコーダ２６からの画像データの出力を得た切り取り処理部２７は、制御部３１からも画像の切り取り領域の位置及びサイズ、並びに編集を行なうフレーム特定情報を受け取り、編集を行なう画像データにおいて、切り取り領域外の不要な画素を破棄して、スケーラ２８に出力する（Ｓ６０７）。
【０１６４】
切り取り処理部２７からの画像データの出力を得たスケーラ２８は、制御部３１からも編集を行なう画像のフレーム特定情報と解像度に関する情報を受け取り、該当する画像データを該解像度まで拡大して、イメージバッファ２９に出力する（Ｓ６０８）。
【０１６５】
スケーラ２８からの画像データの出力を得たイメージバッファ２９は、画像データをクロックからのタイミングに合わせて出力部に送る。
【０１６６】
一方、オーディオデコーダ２５も、クロックからのタイミングに合わせて音声データを出力部に送って（Ｓ６０９）、本処理は終了する。
【０１６７】
以上のような構成とすることで、再生装置２１は、元の映像データは非破壊の状態で、プレイリスト情報に従い、映像データを編集して出力することができる。
【０１６８】
（第７の実施形態）
本実施形態では、第３の実施形態でインデックスを利用して生成されたプレイリスト情報に従い、画像データを再生する処理について説明する。
図２１は、本実施形態に係る再生装置２１の構成例を示すブロック図である。
図中、図１７と同一の符号を付した部分は同一物を表わしており、異なる点は、切り取り位置、切り取りサイズ及び特殊効果の識別情報を保存するライブラリ保存部３３を備えることである。
図２２は、本実施形態における再生の様子について示した図である。
図２３は、本実施形態における再生の処理の手順について示したフローチャート図である。
【０１６９】
本実施形態では、制御部３１は、画像の切り取り領域の位置及びサイズに関するインデックスのライブラリをライブラリ保存部３３に保持している。
【０１７０】
本実施形態の処理は、Ｓ７０４の処理を除いて、第６の実施形態と同様である。
よって、Ｓ７０４の処理について説明し、その他の処理の説明は省略する。
なお、第２の実施形態で生成されたプレイリスト情報を使用してデータを再生する処理も、インデックスの指定方法は異なるが、切り取り領域の位置及びサイズをインデックスとして利用する点において変わりはないので、本実施形態の処理を適用することができる。
【０１７１】
プレイリスト情報から切り取り領域の位置及びサイズについて解釈した制御部３１は、これらに関してインデックスを取得する。そして、制御部３１は、インデックスから、ライブラリ保存部３３に保存されたライブラリを参照して、切り取り領域の位置及びサイズについての座標や数値等の情報を取得する。
【０１７２】
該取得した情報から切り取り処理部２７、スケーラ２８を制御する。
【０１７３】
このような構成とすることで、インデックスを利用したプレイリスト情報から、画像の編集を行い、再生をすることができる。
【０１７４】
（第８の実施形態）
本実施形態では、第４の実施形態で指定時刻の前後において画像の切り替えを行なうよう設定して生成されたプレイリスト情報に従い、画像データを再生する処理について説明する。
図２４は、本実施形態における再生の様子について示した図である。
図２５は、本実施形態における再生の処理の手順について示したフローチャート図である。
【０１７５】
本実施形態の処理は、Ｓ８０４〜Ｓ８０７の処理を除いて、第７の実施形態と同様である。
よって、異なる処理の箇所のみ説明し、その他の処理の説明は省略する。
【０１７６】
プレイリスト情報から切り取り領域の位置及びサイズについて解釈した制御部３１は、これらに関して、インデックスの状態であるか否かの判定を行なう（Ｓ８０４）。
【０１７７】
インデックスの状態でない場合（Ｓ８０４で「ＮＯ」）、Ｓ８０６の判定に進む。
【０１７８】
インデックスの状態であった場合（Ｓ８０４で「ＹＥＳ」）、制御部３１は、インデックスから、ライブラリ保存部３３のライブラリを参照して、切り取り領域の位置及びサイズについての座標や数値等の情報を取得する（Ｓ８０５）。
【０１７９】
次に、制御部３１は、１つのプレイリスト情報に、複数の設定があるか否かの判定を行なう（Ｓ８０６）。１つのプレイリスト情報に複数の設定、すなわち、クリップが複数存在する場合は、画像データの切り替えがあることを意味する。
【０１８０】
制御部３１は、個々の設定、すなわち、クリップについて、それぞれ切り取り処理部２７及びスケーラ２８に制御情報の出力を行なう（Ｓ８０７）。
【０１８１】
１つのプレイリスト情報に複数の設定がない場合（Ｓ８０６で「ＮＯ」）、画像の切り替えなしとして、Ｓ８１０の処理に進む。
【０１８２】
このような構成とすることで、１つのプレイリスト情報の中の時間が連続しているクリップごとに画像が編集されて表示されることになり、ユーザには、クリップの境界で、画像が切り替わって表示されているように見える。
【０１８３】
（第９の実施形態）
本実施形態では、第５の実施形態で特殊効果を設定して生成されたプレイリスト情報に従い、画像データを再生する処理について説明する。
図２６は、本実施形態に係る再生装置２１の構成例を示すブロック図である。
図２７は、本実施形態における再生の様子について示した図である。
図２８は、本実施形態における再生の処理の手順について示したフローチャート図である。
【０１８４】
図２６で示す再生装置２１の構成は、図２１と同一符号を付したものは、同様である。異なる点は、画素の変換を行なう画素変換部３４を備えることである。
【０１８５】
画素変換部３４は、プレイリスト情報に特殊効果の指定がある場合で、画素の値の変更が必要なときは、制御部３１の制御により画素値の変換を行なう。画素値の算出は、該画素変換部３４又は制御部３１にて行なわれる。
【０１８６】
また、ライブラリ保存部３３は、特殊効果に関するインデックスのライブラリも保持する。制御部３１は、プレイリスト情報の特殊効果のインデックス番号より、該インデックス番号に対応した画像の変換方法をライブラリ保存部３３に保存された特殊効果のインデックスのライブラリから読み出して、切り取り処理部２７、スケーラ２８、画素変換部３４のうちの関連のある処理部に制御信号を出力する。
【０１８７】
図２９は、画素変換部３４での処理の様子を示した図である。
例えば、画素変換部３４で画素値の算出を行なう場合、制御部３１からフェードアウトに対応した制御信号が入力されたとすると、フェードアウトの処理を行なうことを認識し、例えば、（Ｒ，Ｇ，Ｂ）が（２５５，２５５，２５５）であったものを、（１２８，１２８，１２８）とすることを算出し、画素値の変換処理を行なう。
【０１８８】
また、例えば、制御部３１で画素値の算出を行なう場合、制御部３１は、インデックス番号からライブラリを参照し、該当する変換方法を読み出し、変換方法から画素値の算出を行ない、該画素値を画素変換部３４に制御信号に含めて出力する。
【０１８９】
以下に、図２８のフローチャートに基づいて、処理の説明を行なう。
【０１９０】
まず、ユーザのリモコン等の操作により、プレイリスト情報の選択がなされ、映像の再生を開始する入力が入力部２２になされると、制御信号を保存部２３に出力する（Ｓ９０１）。
【０１９１】
なお、保存部２３には、予め、映像データ及びプレイリスト情報が記憶媒体から読み出されて保存されていてもよいし、入力部２２からの映像データ及びプレイリスト情報の入力を、再生開始のトリガとしてもよい。
【０１９２】
再生を開始する入力があった場合、保存部２３は、映像データを分離部２４に、プレイリスト情報をプレイリスト保存部３２に一時的に保存する（Ｓ９０２）。
【０１９３】
制御部３１は、プレイリスト保存部３２からバイナリデータのプレイリスト情報を取得し、制御可能なように画像の切り取り領域の位置及びサイズ、編集を行う画像データのフレーム情報、特殊効果等の必要な情報を解釈する（Ｓ９０３）。
【０１９４】
制御部３１は、プレイリスト情報に特殊効果の設定がなされているか否かの判定を行なう（Ｓ９０４）。
【０１９５】
上記設定がなされていない場合（Ｓ９０４で「ＮＯ」）、Ｓ９０８の処理に進む。
【０１９６】
特殊効果の設定がなされていた場合（Ｓ９０４で「ＹＥＳ」）、制御部３１は、特殊効果のインデックスのライブラリを参照し、該当する変換方法を読み出す。
【０１９７】
この特殊効果の変換方法により、制御部３１は、切り取り処理部２７、スケーラ２８、画素変換部３４のうちの関連する処理部に出力する制御信号を生成する（Ｓ９０５）。すなわち、制御部３１は、特殊効果の設定から、該当する画像データの切り取り領域の大きさが変化する場合、該当するフレームの切り取り領域の位置及びサイズを切り取り処理部２７へ、解像度をスケーラ２８へ、演算して制御信号に載せて出力することになる。
【０１９８】
また、画素値が変化する場合、制御部３１は、特殊効果に対応する画素値を演算して、画素変換部３４へ、制御信号に載せて出力する。画素変換部３４で画素値を演算する場合は、制御部３１は、画素変換部３４へ、特殊効果の設定情報を制御信号に載せて出力する。
【０１９９】
一方、保存部２３からの映像データの出力を得た分離部２４は、該映像データを画像データと音声データとに分離する（Ｓ９０６）。
【０２００】
次に、分離部２４は、画像データをビデオデコーダ２６に、音声データをオーディオデコーダ２５に出力する（Ｓ９０７）。
【０２０１】
分離部２４からの画像データの出力を得たビデオデコーダ２６は、画像データを出力可能なデジタル信号に変換して、切り取り処理部２７に出力する（Ｓ９０８）。また、ここで、ビデオデコーダ２６は、画像データの解像度の情報を制御部３１に出力し、制御部３１は、解像度の情報を一時的に保存する。
【０２０２】
ビデオデコーダ２６からの画像データの出力を得た切り取り処理部２７は、制御部３１からも画像の切り取り領域の位置及びサイズ、並びに編集を行なうフレーム特定情報を受け取り、編集を行なう画像データにおいて、切り取り領域外の不要な画素を破棄して、スケーラ２８に出力する（Ｓ９０９）。この制御部３１からの情報は、上述のように、特殊効果が設定されている場合は、反映されたものとなっている。
【０２０３】
切り取り処理部２７からの画像データの出力を得たスケーラ２８は、制御部３１からも編集を行なう画像のフレーム特定情報と解像度に関する情報を受け取り、該当する画像データを該解像度まで拡大して、画素変換部３４に出力する（Ｓ９１０）。この制御部３１からの情報も、上述のように、特殊効果が設定されている場合は、反映されたものとなっている。
【０２０４】
スケーラ２８からの画像データの出力を得た画素変換部３４は、画素値変換を行なう必要のある特殊効果の設定がなされているか否かの判定を行なう（Ｓ９１１）。この判定は、制御部３１から制御信号が入力されたか否かで判定される。
【０２０５】
画素変換部３４は、制御部３１から編集を行なう画像のフレーム特定情報と画素値に関する情報を受け取り、特殊効果の設定がなされていると判定した場合（Ｓ９１１で「ＹＥＳ」）、該当する画像データの画素値を変換して、イメージバッファ２９に変換後の画像データを出力する（Ｓ９１２）。また、画素変換部３４で画素値の演算を行なう場合は、制御部３１は、特殊効果の設定情報を画素変換部３４に出力する。
【０２０６】
画素値を変換する特殊効果の設定がなく、制御部３１から制御信号がなかった場合（Ｓ９１１で「ＮＯ」）、画素変換部３４は、編集を行なわず、イメージバッファ２９に画像データを出力する（Ｓ９１３）。
【０２０７】
画素変換部３４からの画像データの出力を得たイメージバッファ２９は、画像データをクロックからのタイミングに合わせて出力部に送る。
【０２０８】
一方、オーディオデコーダ２５も、クロックからのタイミングに合わせて音声データを出力部に送って（Ｓ９１４）、本処理は終了する。
【０２０９】
以上のような構成とすることで、再生装置２１は、プレイリスト情報に特殊効果の設定がある場合も、元の映像データは非破壊の状態で、プレイリスト情報に従い、映像データを編集して出力することができる。
【０２１０】
なお、上記の説明では、編集装置１と再生装置２１を分けて説明したが、編集機能と再生機能を合わせ持つ１つの装置でも実施可能であり、本発明の目的を達することができ、作用・効果は同様である。
【０２１１】
また、プレイリスト保存部、ライブラリ保存部は、本発明に係る編集装置又は再生装置自体に備わっている必要はなく、編集装置又は再生装置に着脱可能な記憶媒体に映像データとともに保持されるとしてもよい。このことにより、ユーザは、非破壊のまま編集された映像データを、任意のプレイヤーで再生することも可能である。
または、ユーザの操作による入力部からの制御信号により、若しくは編集終了などをトリガとして自動的に、編集装置又は再生装置に備わっている保存部、プレイリスト保存部及びライブラリ保存部から、映像データ、プレイリスト情報及びライブラリ情報が、該装置に着脱可能な記憶媒体に記憶されるとしてもよい。
【０２１２】
尚、本発明の編集装置及び再生装置は、上述の図示例にのみ限定されるものではなく、本発明の要旨を逸脱しない範囲内において種々変更を加え得ることは勿論である。
【図面の簡単な説明】
【０２１３】
【図１】第１の実施形態における編集装置の構成例を示すブロック図である。
【図２】第１の実施形態における編集の様子について示した図である。
【図３】第１の実施形態における編集の処理の手順について示したフローチャート図である。
【図４】第２〜４の実施形態における編集装置の構成例を示すブロック図である。
【図５】第２の実施形態における編集の様子について示した図である。
【図６】第２の実施形態における編集の処理の手順について示したフローチャート図である。
【図７】インデックスのライブラリの一例である。
【図８】第３の実施形態における編集の様子について示した図である。
【図９】第３の実施形態における編集の処理の手順について示したフローチャート図である。
【図１０】インデックスのライブラリの一例である。
【図１１】第４の実施形態における編集の様子について示した図である。
【図１２】第４の実施形態における編集の処理の手順について示したフローチャート図である。
【図１３】第５の実施形態における編集装置の構成例を示すブロック図である。
【図１４】第５の実施形態における編集の様子について示した図である。
【図１５】第５の実施形態における編集の処理の手順について示したフローチャート図である。
【図１６】特殊効果に関するインデックスのライブラリの一例である。
【図１７】第６の実施形態における再生装置の構成例を示すブロック図である。
【図１８】本発明に係る再生装置の切り取り処理部での処理の様子を示した図である。
【図１９】第６の実施形態における再生の様子について示した図である。
【図２０】第６の実施形態における再生の処理の手順について示したフローチャート図である。
【図２１】第７及び８の実施形態における再生装置の構成例を示すブロック図である。
【図２２】第７の実施形態における再生の様子について示した図である。
【図２３】第７の実施形態における再生の処理の手順について示したフローチャート図である。
【図２４】第８の実施形態における再生の様子について示した図である。
【図２５】第８の実施形態における再生の処理の手順について示したフローチャート図である。
【図２６】第９の実施形態に係る再生装置の構成例を示すブロック図である。
【図２７】第９の実施形態における再生の様子について示した図である。
【図２８】第９の実施形態における再生の処理の手順について示したフローチャート図である。
【図２９】第９の実施形態に係る再生装置の画素変換部での処理の様子を示した図である。
【図３０】従来の再生装置のブロック図の一例である。
【符号の説明】
【０２１４】
１  編集装置
２、２３  保存部
３  再生部
４  出力部
５、２２  入力部
６、３１、４２  制御部
７  切り取り領域取得部
８  再生時刻取得部
９  プレイリスト情報変換部
１０  プレイリスト保存部
１１、３３  ライブラリ保存部
１２  特殊効果取得部
２１、４１  再生装置
２４  分離部
２５  オーディオデコーダ
２６  ビデオデコーダ
２７  切り取り処理部
２８  スケーラ
２９  イメージバッファ
３０  バッファ
３２、４３  プレイリスト保存部
３４  画素変換部
【図１】
2009065313.tif 000003
【図２】
2009065313.tif 000004
【図３】
2009065313.tif 000005
【図４】
2009065313.tif 000006
【図５】
2009065313.tif 000007
【図６】
2009065313.tif 000008
【図７】
2009065313.tif 000009
【図８】
2009065313.tif 000010
【図９】
2009065313.tif 000011
【図１０】
2009065313.tif 000012
【図１１】
2009065313.tif 000013
【図１２】
2009065313.tif 000014
【図１３】
2009065313.tif 000015
【図１４】
2009065313.tif 000016
【図１５】
2009065313.tif 000017
【図１６】
2009065313.tif 000018
【図１７】
2009065313.tif 000019
【図１８】
2009065313.tif 000020
【図１９】
2009065313.tif 000021
【図２０】
2009065313.tif 000022
【図２１】
2009065313.tif 000023
【図２２】
2009065313.tif 000024
【図２３】
2009065313.tif 000025
【図２４】
2009065313.tif 000026
【図２５】
2009065313.tif 000027
【図２６】
2009065313.tif 000028
【図２７】
2009065313.tif 000029
【図２８】
2009065313.tif 000030
【図２９】
2009065313.tif 000031
【図３０】
2009065313.tif 000032